【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
通信モードであるとき第１の輝度で通信モード表示を提供するスクリーンディスプレイと、前記通信モードであるとき通信機能を制御する入力制御ハードウェアとを有する携帯電話装置を、スリープモードで作動するための方法であって、
スリープモードの輝度でスリープモード表示をレンダリングするステップであって、前記スリープモード表示が、前記スクリーンディスプレイ領域の大部分を占める時刻表示を含んでいて、前記スリープモード輝度が、前記第１の輝度よりも減光するものと、
スリープモードのユーザー設定に指定されているアラーム時刻にアラームでユーザーに警告するステップと、
呼び出し及びメッセージ通知の少なくとも一部を抑制するステップと、
前記ユーザーが警告されたとき、前記入力制御ハードウェアの前記通信機能の少なくとも一部を中断するステップであって、前記中断するステップが、前記ユーザーに前記入力制御ハードウェアの前記一部を使用して前記アラームを停止する事を許すものと、を含む方法。
【請求項２】
前記スリープモードのユーザー設定が、前記携帯電話装置を前記スリープモードで作動するためのユーザーの選択を指定していること、を特徴とする請求項１記載の方法。
【請求項３】
前記スリープモードが、前記スリープモードのユーザー設定に指示されているスリープモード時刻、前記ユーザーによる手動始動、又は前記携帯電話装置のドッキングステーションへのドッキング、のうち１つによって可能化されることを特徴とする請求項１記載の方法。
【請求項４】
前記呼び出し及びメッセージ通知の少なくとも一部を抑制するステップが、ユーザーが定義した呼び出しの優先順位設定に基づいていることを特徴とする請求項１記載の方法。
【請求項５】
更に、
前記携帯電話装置用ソフトウェアの更新をダウンロードしインストールすることを含む前記携帯電話装置用ソフトウェアを更新するステップを含む請求項１記載の方法。
【請求項６】
前記更新するステップが、前記携帯電話装置を介し提供されるインターネットアクセスを介して生じることを特徴とする請求項５記載の方法。
【請求項７】
前記携帯電話装置が、ドッキングステーションにドッキングされることと、
前記更新するステップが、前記ドッキングステーションを介し提供されるインターネットアクセスを介して生じることと、を特徴とする請求項５記載の方法。
【請求項８】
更に、
前記携帯電話装置にストアされている携帯電話のデータを別の装置にストアされている装置のデータと同期化するステップを含む請求項１記載の方法。
【請求項９】
前記同期化するステップが、前記携帯電話装置を介し提供される無線通信を介して生じることを特徴とする請求項８記載の方法。
【請求項１０】
前記携帯電話装置が、ドッキングステーションにドッキングされることと、
前記同期化するステップが、前記ドッキングステーションを介し提供される無線通信を介して生じることと、を特徴とする請求項８記載の方法。
【請求項１１】
更に、
前記ユーザーによって指定されているカスタムデータをリトリーブするステップであって、前記カスタムデータが、天気、交通、株式情報、ニュース、電子メール、又はスポーツ、のうち少なくとも１つを含むものと、
前記アラームが提供されるとき、前記ユーザーに前記カスタムデータを提供するステップと、を含む請求項１記載の方法。
【請求項１２】
携帯電話装置をスリープモードで作動するための方法であって、
ディスプレイが暗い環境で読み取り可能なように前記携帯電話装置の携帯電話ディスプレイを減光するステップと、
前記携帯電話ディスプレイ領域の大部分に時刻表示を視覚的に表示するステップと、
スリープモードのユーザー設定に指定されているアラーム時刻にアラームでユーザーに警告する前記携帯電話装置用アラームモードを起動するステップと、
前記携帯電話の入力制御ハードウェアの通信機能の少なくとも一部を中断する前記スヌーズ機能を起動するステップであって、前記スヌーズ機能を起動するステップが、前記入力制御ハードウェアの前記一部の機能を使用し、前記ユーザーが前記アラームを一時的に停止する事を許すものと、
呼び出し及びメッセージ通知の少なくとも一部を抑制するステップと、を含む方法。
【請求項１３】
前記スリープモードのユーザー設定が、前記携帯電話装置を前記スリープモードで作動するためのユーザーの選択を指定することを特徴とする請求項１２記載の方法。
【請求項１４】
前記スリープモードが、前記スリープモードのユーザー設定に指示されているスリープモード時刻、前記ユーザーによる手動始動、又はドッキングステーションへの前記携帯電話装置のドッキング、のうち１つによって可能化されることを特徴とする請求項１２記載の方法。
【請求項１５】
更に、
前記携帯電話装置に関するソフトウェアに対する更新を、インターネットアクセスを介しチェックするステップと、
前記携帯電話装置用の前記ソフトウェア更新をダウンロードするステップと、を含む請求項１２記載の方法。
【請求項１６】
更に、
前記携帯電話装置にストアされている携帯電話のデータを別の装置にストアされている装置のデータと同期化するステップを含む請求項１２記載の方法。
【請求項１７】
更に、
前記ユーザーによって指定されたカスタムデータをリトリーブするように前記携帯電話装置を準備するステップであって、前記カスタムデータが、天気、交通、株式情報、ニュース、電子メール、又はスポーツ、のうち少なくとも１つを含むものと、
前記カスタムデータをリトリーブするステップと、
前記ユーザーによって設定されている前記アラーム時刻に前記カスタムデータを前記ユーザーに提供するステップと、を含む請求項１２記載の方法。
【請求項１８】
ディスプレイ、入力／出力ハードウェア、プロセッサー、及びメモリーを含む携帯電話であって、前記携帯電話が、通信を送信及び受信するための通信モードを含んでいて、ステップを実行するための命令を含むプロセッサー可読コードが、
前記ディスプレイを通信モードの明るさよりも小さい明るさに減光するステップと、
前記ディスプレイ領域の大部分に時刻表示を視覚的に表示するステップと、
前記ユーザーによって指定されているアラーム時刻にアラームでユーザーに警告するステップと、
前記入力／出力ハードウェアの通信機能の少なくとも一部を中断し、前記入力／出力ハードウェアの前記一部を使用して前記ユーザーが前記アラームを一時的に停止する事を許すステップと、
呼び出し及びメッセージ通知の少なくとも一部を抑制するステップと、
前記携帯電話にストアされている携帯電話のデータを別の装置にストアされている装置のデータと同期化するステップと、
前記ユーザーによって指定されたカスタムデータをリトリーブし、前記アラーム時刻に前記カスタムデータを前記ユーザーに提供するステップと、含むことを特徴とする携帯電話装置。
【請求項１９】
前記同期化ステップが、前記携帯電話によって提供される無線通信を介して生じることを特徴とする請求項１８記載の装置。
【請求項２０】
前記携帯電話が、ドッキングステーションにドッキングされることと、
前記同期化ステップが、前記ドッキングステーションによって提供される無線通信を介して生じることと、を特徴とする請求項１８記載の装置。